(57)【要約】【課題】障子を閉めたときの衝撃により既設枠の仕口部に隙間が発生することを防止できる改装サッシ及び改装サッシの施工方法を提供すること。【解決手段】建物の開口部２に残存する既設枠と、既設枠の内周側を覆うように取り付けられる新設枠とを備える改装サッシ１であって、既設枠は、既設上枠１１０、既設下枠２１０及び既設縦枠３１０、４１０を有すると共に、既設枠の四周の各隅部が、隣接する既設上枠１１０と既設縦枠３１０、４１０とに亘り、及び隣接する既設下枠２１０と既設縦枠３１０、４１０とに亘り、それぞれ連結金具５００、６００により連結されている。【選択図】図４
2019157375.tif 000002
【特許請求の範囲】
【請求項１】
建物の開口部に残存する既設枠と、前記既設枠の内周側を覆うように取り付けられる新設枠と、を備える改装サッシであって、
前記既設枠は、既設上枠、既設下枠及び既設縦枠を有すると共に、
前記既設枠の四周の各隅部が、隣接する前記既設上枠と前記既設縦枠とに亘り、及び隣接する前記既設下枠と前記既設縦枠とに亘り、それぞれ連結金具により連結されている、改装サッシ。
【請求項２】
前記連結金具は、前記既設上枠又は前記既設下枠に対してねじ止めされる当接部と、前記既設縦枠の屋外側の端部を包持するように係合させる包持部と、を有する、請求項１に記載の改装サッシ。
【請求項３】
前記連結金具は、前記既設枠の四周の各隅部の内周面に固定される、請求項１又は２に記載の改装サッシ。
【請求項４】
建物の開口部に残存する既設枠と、前記既設枠の内周側を覆うように取り付けられる新設枠と、を備える改装サッシの施工方法であって、
前記既設枠の四周の各隅部に隣接する既設上枠及び既設下枠と、既設縦枠と、に亘り、それぞれ連結金具により連結する工程と、
前記既設枠に、前記新設枠を取り付ける工程と、を備える、改装サッシの施工方法。
【発明の詳細な説明】
【技術分野】
【０００１】
本発明は、建物に設けられている既設窓を改装するための改装サッシ及び改装サッシの施工方法に関する。
【背景技術】
【０００２】
従来、既設の窓を改装する方法として、カバー工法が採用されている。このカバー工法によって改装された改装サッシでは、建物の開口部に取り付けられた既設枠に対して、その内周側を覆うように新設枠が取り付けられる（例えば、特許文献１参照）。
【先行技術文献】
【特許文献】
【０００３】
【特許文献１】特開２０１６−９４７７１号公報
【発明の概要】
【発明が解決しようとする課題】
【０００４】
新たに改装される改装サッシが引違い窓である場合、図１４に示すように、障子２０を矢印の方向に強く閉めたときの衝撃が縦枠（既設縦枠３１０及び新設縦枠３２０）に伝わり、窓枠に歪みが生じて仕口部Ａ、Ｂが開いて隙間が生じてしまうことがある。窓枠の仕口部に隙間が生じると、意匠性が悪くなるだけでなく、雨水浸入防止等のサッシの性能を維持できなくなるおそれがある。
【０００５】
このように仕口部に隙間が生じる問題は、既設枠が古く、衝撃に弱くなっている場合に特に発生し易い。しかし、改装サッシの既設枠は新設枠に覆われているため、例えば、既設枠の仕口部Ａに隙間が発生しても、改装後では確認することができない。
【０００６】
そこで、本発明は、障子を閉めたときの衝撃により既設枠の仕口部に隙間が発生することを防止できる改装サッシ及び改装サッシの施工方法を提供することを目的とする。
【課題を解決するための手段】
【０００７】
（１）  本発明に係る改装サッシは、建物の開口部（例えば、後述の開口部２）に残存する既設枠と、前記既設枠の内周側を覆うように取り付けられる新設枠と、を備える改装サッシ（例えば、後述の改装サッシ１）であって、前記既設枠は、既設上枠（例えば、後述の既設上枠１１０）、既設下枠（例えば、後述の既設下枠２１０）及び既設縦枠（例えば、後述の既設縦枠３１０、４１０）を有すると共に、前記既設枠の四周の各隅部が、隣接する前記既設上枠と前記既設縦枠とに亘り、及び隣接する前記既設下枠と前記既設縦枠とに亘り、それぞれ連結金具（例えば、後述の連結金具５００、６００）により連結されている。
【０００８】
（２）  （１）に記載の改装サッシにおいて、前記連結金具（例えば、後述の連結金具６００）は、前記既設上枠又は前記既設下枠に対してねじ止めされる当接部（例えば、後述の当接部６０１）と、前記既設縦枠の屋外側の端部を包持するように係合させる包持部（例えば、後述の包持部６０２）と、を有することが好ましい。
【０００９】
（３）  （１）又は（２）に記載の改装サッシにおいて、前記連結金具は、前記既設枠の四周の各隅部の内周面（例えば、後述の内周面１１０ａ、２１０ａ、３１０ａ、４１０ａ）に取り付けられることが好ましい。
【００１０】
（４）  本発明に係る改装サッシの施工方法は、建物の開口部（例えば、後述の開口部２）に残存する既設枠と、前記既設枠の内周側を覆うように取り付けられる新設枠と、を備える改装サッシ（例えば、後述の改装サッシ１）の施工方法であって、
前記既設枠の四周の各隅部に隣接する既設上枠（例えば、後述の既設上枠１１０）及び既設下枠（例えば、後述の既設下枠２１０）と、既設縦枠（例えば、後述の既設縦枠３１０、４１０）と、に亘り、それぞれ連結金具（例えば、後述の連結金具５００、６００）により連結する工程と、前記既設枠に、前記新設枠を取り付ける工程と、を備える。
【発明の効果】
【００１１】
本発明によれば、障子を閉めたときの衝撃により既設枠の仕口部に隙間が発生することを防止できる改装サッシ及び改装サッシの施工方法を提供することができる。
【図面の簡単な説明】
【００１２】
【図１】本発明に係る改装サッシを屋外側から見た正面図である。
【図２】図１に示す係る改装サッシの縦断面図である。
【図３】図１に示す改装サッシの横断面図である。
【図４】図２に示す改装サッシの上枠の拡大縦断面図である。
【図５】図２に示す改装サッシの下枠の拡大縦断面図である。
【図６】図３に示す改装サッシの一方の縦枠の拡大縦断面図である。
【図７】図３に示す改装サッシの他方の縦枠の拡大縦断面図である。
【図８】既設枠の縦断面図である。
【図９】既設枠の横断面図である。
【図１０】（ａ）は連結金具の正面図であり、（ｂ）は連結金具の底面図である。
【図１１】（ａ）は別の実施形態に係る連結金具の平面図であり、（ｂ）はその側面図であり、（ｃ）はその斜視図である。
【図１２】連結金具が取り付けられた既設下枠を示す縦断面図である。
【図１３】連結金具が取り付けられた既設下枠を示す横断面図である。
【図１４】従来の改装サッシの一方の縦枠の要部を示す拡大横断面図である。
【発明を実施するための形態】
【００１３】
以下、本発明の一実施形態について、図面を参照して詳しく説明する。
図１は、本発明に係る改装サッシを屋外側から見た正面図である。図２は、図１に示す改装サッシの縦断面図であり、図３は、図１に示す改装サッシの横断面図である。図４は、図２に示す改装サッシの上枠の拡大縦断面図であり、図５は、図２に示す改装サッシの下枠の拡大縦断面図である。図６は、図３に示す改装サッシの一方の縦枠の拡大縦断面図であり、図７は、図３に示す改装サッシの他方の縦枠の拡大縦断面図である。
【００１４】
図１〜図３に示すように、本発明に係る改装サッシ１は、建物の開口部２に納められた引違い窓タイプの改装サッシである。改装サッシ１は、上枠１００及び下枠２００と、左右一対の縦枠３００、４００とにより矩形に枠組みされた窓枠１０と、この窓枠１０にスライド可能に納められる２枚の障子２０と、この障子２０の屋外側に配置されて窓枠１０にスライド可能に納められる１枚の網戸３０と、を備える。建物の開口部２の内周面には四周に亘って額縁部材３が設けられている。本実施形態に示す窓枠１０は、開口部２の屋外側にせり出すように取り付けられる外付けタイプの窓枠である。
【００１５】
なお、本実施形態の額縁部材３において、上枠１００側は既設窓の鴨居により構成され、下枠２００側は既設窓の敷居により構成される。また、縦枠３００、４００側は、それぞれ既設窓の縦側に配置される柱材により構成される。
【００１６】
各障子２０は、図４、図５に示すように、屋外側及び屋内側に配置される２枚のガラス２１、２１と、これら２枚のガラス２１、２１で挟持されたスペーサ２２と、を備える複層ガラスからなり、優れた断熱性を有する。
【００１７】
図２、図４に示すように、上枠１００は、既設上枠１１０と、新設上枠１２０と、上枠ベース材１３０と、を含んで構成される。
【００１８】
既設上枠１１０は、建物の開口部２の上側部に取り付けられ、下方に向けて立設される既設障子用のガイドレール１１１ａ、１１１ｂと、ガイドレール１１１ａ、１１１ｂよりも屋外側の端部に、下方に向けて延びる屋外側壁部１１２と、を有する。既設上枠１１０の屋内側は額縁部材３に固定されている。
【００１９】
新設上枠１２０は、上枠ベース材１３０を間に挟んで、既設上枠１１０の内周側に取り付けられる。図４に示すように、新設上枠１２０は、下方に向けて立設される引違いの２枚の障子２０、２０用のガイドレール１２１ａ、１２１ｂと、網戸３０用のガイドレール１２１ｃとを有する。ガイドレール１２１ａ、１２１ｂには、障子２０の上端部が係合している。ガイドレール１２１ｃには、網戸３０の上端部が係合している。
【００２０】
新設上枠１２０は、屋外側の端部に、上方に向けて延びる屋外側壁部１２２を有する。屋外側壁部１２２は、既設上枠１１０の屋外側壁部１１２と略平行に延びており、屋外側壁部１１２の屋外側を覆い隠すように配置されている。新設上枠１２０は、上枠ベース材１３０との間にスペーサ部材１４０を介して、取付けねじ１２３ａ、１２３ｂによって上枠ベース材１３０に固定される。
【００２１】
上枠ベース材１３０は、既設上枠１１０の内周側に配置され、既設上枠１１０と新設上枠１２０との間に介在される。上枠ベース材１３０は、既設上枠１１０の長さに比べて十分に短い長さに形成された金属製の板状部材からなり、上枠ベース材１３０の裏面に設けられる取付け部材１３２によって、既設上枠１１０のガイドレール１１１ａ、１１１ｂを利用して取り付けられる。上枠ベース材１３０は、既設上枠１１０の長さ方向に間隔をおいて複数取り付けられる。これにより、各上枠ベース材１３０は、既設上枠１１０の内周側（下側）に、新設上枠１２０のための略平坦な取付け面を形成する。新設上枠１２０は、この上枠ベース材１３０の表面（下面）に対して取り付けられる。
【００２２】
図２、図５に示すように、下枠２００は、既設下枠２１０と、新設下枠２２０と、下枠ベース材２３０と、を含んで構成される。
【００２３】
既設下枠２１０は、建物の開口部２の下側部に取り付けられており、上方に向けて立設される既設障子用のガイドレール２１１ａ、２１１ｂと、既設下枠２１０の屋外側の端部に、上下方向に延びる屋外側壁部２１２と、を有する。既設下枠２１０の屋内側は、額縁部材３に固定されている。
【００２４】
新設下枠２２０は、下枠ベース材２３０を挟んで、既設下枠２１０の内周側に取り付けられる。新設下枠２２０は、上方に向けて立設される引違いの２枚の障子２０、２０用のガイドレール２２１ａ、２２１ｂと、網戸３０用のガイドレール２２１ｃとを有する。ガイドレール２２１ａ、２２１ｂには、障子２０の下端部が係合している。ガイドレール２２１ｃには、網戸３０の下端部が係合している。
【００２５】
新設下枠２２０は、屋外側の端部に、下方に向けて延びる屋外側壁部２２２を有する。屋外側壁部２２２は、既設下枠２１０の屋外側壁部２１２と略平行に延びており、屋外側壁部２１２の屋外側を覆い隠すように配置されている。新設下枠２２０は、取付けねじ２２３によって下枠ベース材２３０に固定される。
【００２６】
下枠ベース材２３０は、既設下枠２１０の内周側に配置され、既設下枠２１０と新設下枠２２０との間に介在される。下枠ベース材２３０は、２枚の障子２０、２０の荷重を受けるため、下枠２００の長さ方向に亘って延びる金属製の板状部材からなる。下枠ベース材２３０の屋外側は、既設下枠２１０の屋外側のガイドレール２１１ａ上に載置され、屋内側は、ブラケット２３１によって既設下枠２１０の屋内側のガイドレール２１１ｂに取り付けられている。これにより、下枠ベース材２３０は、既設下枠２１０の内周側（上側）に、新設下枠２２０のための略平坦な取付け面を形成する。新設下枠２２０は、この下枠ベース材２３０の表面（上面）に対して取り付けられる。
【００２７】
図３、図６、図７に示すように、左右の縦枠３００、４００は、既設縦枠３１０、４１０と、新設縦枠３２０、４２０と、縦枠ベース材３３０、４３０と、を含んで構成される。
【００２８】
既設縦枠３１０、４１０は、建物の開口部２の屋外側の左右縦側部にそれぞれ取り付けられている。既設縦枠３１０、４１０は、図６、図７に示すように、内側に向けて突出する複数のフィン３１１ａ、３１１ｂ、４１１ａ、４１１ｂ、４１１ｃを有する。既設縦枠３１０、４１０の屋内側は、額縁部材３に固定されている。
【００２９】
新設縦枠３２０、４２０は、縦枠ベース材３３０、４３０を間に挟んで、既設縦枠３１０、４１０の内周側に取り付けられる。新設縦枠３２０、４２０は、屋外側の端部に、左右の外側方に向けて延びる屋外側壁部３２１、４２１を有する。屋外側壁部３２１、４２１は、既設縦枠３１０、４１０の屋外側を覆い隠すように配置されている。新設縦枠３２０、４２０は、スペーサ部材３４０、４４０を介して、取付けねじ３２２ａ、３２２ｂ、４２２ａ、４２２ｂによって縦枠ベース材３３０、４３０に固定される。
【００３０】
縦枠ベース材３３０、４３０は、既設縦枠３１０、４１０の内周側に配置され、既設縦枠３１０、４１０と新設縦枠３２０、４２０との間に介在される。縦枠ベース材３３０、４３０は、それぞれ新設縦枠３２０、４２０の長さに比べて十分に短い長さに形成された金属製の板状部材からなる。縦枠ベース材３３０、４３０は、既設縦枠３１０、４１０の長さ方向に間隔をおいて、既設縦枠３１０、４１０の内周側に複数取り付けられる。
【００３１】
縦枠ベース材３３０、４３０の屋外側は、既設縦枠３１０、４１０に設けられた最も屋外側のフィン３１１ａ、４１１ａを利用して、取付けねじ３３２、４３２によって取り付けられる。一方、縦枠ベース材３３０、４３０の屋内側は、ブラケット３３３、４３３によって既設縦枠３１０、４１０の内周面に固定される。これにより、各縦枠ベース材３３０、４３０は、既設縦枠３１０、４１０の内周側に、新設縦枠３２０、４２０のための略平坦な取付け面を形成する。新設縦枠３２０、４２０は、この縦枠ベース材３３０、４３０の表面に対して取り付けられる。
【００３２】
以上の構成を備える窓枠１０は、上枠１００、下枠２００及び左右の縦枠３００、４００により矩形に枠組みされる。これにより、改装サッシ１の新設枠（新設上枠１２０、新設下枠２２０及び新設縦枠３２０、４２０）は、各ベース材１３０、２３０、３３０、４３０を介して、既設枠（既設上枠１１０、既設下枠２１０及び既設縦枠３１０、４１０）の内周側を覆うように取り付けられる。
【００３３】
この改装サッシ１において、窓枠１０における既設枠の四周の各隅部には、それぞれ連結金具５００が取り付けられている。図８、図９は、新設枠（新設上枠１２０、新設下枠２２０及び新設縦枠３２０、４２０）が取り付けられる前の既設枠（既設上枠１１０、既設下枠２１０及び既設縦枠３１０、４１０）の内周面を示している。図８は、既設枠の縦断面図であり、図９は、既設枠の横断面図である。なお、図９は、既設下枠２１０側を示しており、下枠ベース材２３０の図示は省略した。
図８、図９に示すように、既設上枠１１０と既設縦枠３１０、４１０との隅部、及び、既設下枠２１０と既設縦枠３１０、４１０との隅部には、それぞれ連結金具５００が取り付けられる。
【００３４】
本実施形態の４個の連結金具５００は、いずれも既設枠の内周面に取り付けられている。即ち、既設上枠１１０と既設縦枠３１０、４１０との隅部の連結金具５００は、既設上枠１１０の内周面１１０ａと既設縦枠３１０、４１０の内周面３１０ａ、４１０ａとに亘って取り付けられる。また、既設下枠２１０と既設縦枠３１０、４１０との隅部の連結金具５００は、既設下枠２１０の内周面２１０ａと既設縦枠３１０、４１０の内周面３１０ａ、４１０ａとに亘って取り付けられている。このため、連結金具５００は、既設枠に対して屋内側から容易に取り付け可能である。
【００３５】
図１０は、連結金具５００を示す図であり、（ａ）は連結金具５００の正面図、（ｂ）は連結金具５００の底面図を示している。連結金具５００は、中途部に屈曲部５０１を有する略Ｌ字状の帯板部材からなる。屈曲部５０１の両端側には、それぞれ当接部５０２、５０２が一体に設けられている。
【００３６】
２つの当接部５０２、５０２は、それぞれ屈曲部５０１に対して略４５°の角度で交差している。このため、２つの当接部５０２、５０２同士は、略９０°の角度をなすように配置される。各当接部５０２、５０２は、既設枠の内周面１１０ａ、２１０ａ、３１０ａ、４１０ａに当接してねじ止めされる部位であり、ねじ穴５０３、５０３がそれぞれ形成されている。
【００３７】
連結金具５００は、既設上枠１１０の内周面１１０ａと既設縦枠３１０、４１０の内周面３１０ａ、４１０ａとに亘り、及び、既設下枠２１０の内周面２１０ａと既設縦枠３１０、４１０の内周面３１０ａ、４１０ａとに亘り、それぞれ当接部５０２、５０２を当接させた後、各ねじ穴５０３、５０３に取付けねじ５０４、５０４をねじ込むことにより、既設枠に固定される。これにより、既設枠の四周の各隅部が連結金具５００によって補強され、既設枠の矩形の枠組み形状の強度が向上する。従って、改装後に障子２０を閉めたときの衝撃が既設枠に加わった際に、仕口部に隙間が発生することが防止される。
【００３８】
各連結金具５００は、既設枠の屋外側寄りに配置されている。具体的には、各連結金具５００は、既設上枠１１０及び既設下枠２１０における屋外側のガイドレール１１１ａ、２１１ａよりも屋外側に配置されている。本実施形態のように外付けタイプの既設枠は、開口部２に対して建物の屋外側にせり出すように取り付けられているため、屋外側には引違いの障子２０のスライド方向（左右方向）の外側を支える部材（建物の躯体や額縁部材等）が存在せず、障子２０を閉めたときの衝撃により、特に屋外側が左右に歪み易い。しかし、この改装サッシ１によれば、各連結金具５００が屋外側寄りの位置に配置されることにより、障子２０を閉めたときの衝撃による既設枠の歪みを効果的に抑制することができる。
【００３９】
図１１は、別の実施形態に係る連結金具６００を示している。（ａ）は連結金具６００の平面図であり、（ｂ）は連結金具６００の側面図であり、（ｃ）は連結金具６００の斜視図である。また、図１２は、連結金具６００が取り付けられた既設下枠２１０を示す縦断面図であり、図１３は、連結金具６００が取り付けられた既設下枠２１０を示す横断面図である。
この連結金具６００は、当接部６０１と包持部６０２と、を一体に有して構成される。なお、連結金具６００は、取り付けられる隅部に応じて、図１１（ａ）と左右対称構造のものが使用される。
【００４０】
当接部６０１は、既設上枠１１０又は既設下枠２１０に対して当接してねじ止めされる部位であり、連結金具５００の当接部５０２と同様の帯板状に形成されている。当接部６０１には、ねじ穴６０３が形成されている。
【００４１】
包持部６０２は、当接部６０１が既設上枠１１０又は既設下枠２１０に対して当接した状態で、既設縦枠３１０、４１０の屋外側の端部を屋外側から抱え込むように係合させる部位である。この包持部６０２は、既設縦枠３１０、４１０の屋外側の端部を開口部２の左右方向（上枠１００及び下枠２００の延び方向）の両側から挟むように配置される一対の平行な挟持片６０２ａ、６０２ｂと、これらの挟持片６０２ａ、６０２ｂを連結する連結片６０２ｃと、を一体に有する。
【００４２】
一対の挟持片６０２ａ、６０２ｂは、当接部６０１に対して略９０°の角度をなすように配置されている。一方の挟持片６０２ａは、当接部６０１と連結され、この当接部６０１から略９０°の角度で屈曲形成されている。連結片６０２ｃは、この挟持片６０２ａと連結され、挟持片６０２ａの一方の側端部（取り付け状態における屋外側の側端部）から、当接部６０１とは反対方向に向けて略９０°の角度で屈曲形成されている。他方の挟持片６０２ｂは、この連結片６０２ｃと連結され、連結片６０２ｃの端部から挟持片６０２ａと同方向且つ平行に略９０°の角度で屈曲形成されている。
【００４３】
一対の挟持片６０２ａ、６０２ｂの間隔は、図１３に示すように、既設縦枠３１０（４１０）の屋外側の端部を両側から挟み込むことができる程度に離間している。本実施形態では、既設縦枠３１０（４１０）の内周面３１０ａからフィン３１１ａが突設されているため、挟持片６０２ａ、６０２ｂは、このフィン３１１ａも内側に挟み込むことができるように離間している。
【００４４】
連結金具６００は、既設縦枠３１０、４１０の屋外側の端部を、屋外側から包持部６０２で包え込むように係合させることにより、一対の挟持片６０２ａ、６０２ｂの間に挟み込むと共に、既設上枠１１０側の場合には、既設上枠１１０の内周面１１０ａに当接部６０１を当接させ、既設下枠２１０側の場合には、既設下枠２１０の内周面２１０ａに当接部６０１を当接させる。このとき、包持部６０２の挟持片６０２ｂは、図１３に示すように、既設縦枠３１０（４１０）の外周面３１０ｂ（４１０ｂ）に当接した状態とされる。その後、当接部６０１のねじ穴６０３に取付けねじ６０４がねじ込まれることにより、連結金具６００は既設枠に固定される。
【００４５】
この連結金具６００では、改装後に障子２０を閉めたときの衝撃が既設縦枠３１０、４１０に加わった際に、包持部６０２が既設縦枠３１０、４１０の歪みを阻止するように機能する。このため、既設枠の四周の各隅部が補強され、既設枠の矩形の枠組み形状の強度が向上することにより、仕口部に隙間が発生することが防止される。しかも、この連結金具６００は、１本の取付けねじ６０４だけで取り付け可能であるため、取り付け作業が簡略化される。更に、この連結金具６００も、既設縦枠３１０、４１０に対して屋外側の端部に取り付けられるため、障子２０を閉めたときの衝撃による既設枠の歪みを効果的に抑制することができる。
【００４６】
改装サッシ１を施工する際は、先ず、既設上枠１１０、既設枠の四周の各隅部に隣接する既設上枠１１０及び既設下枠２１０と、既設縦枠３１０、４１０と、に亘り、それぞれ連結金具５００又は６００を用いて連結し、その後、既設枠に新設枠を取り付ける。これにより、障子２０を閉めたときの衝撃により既設枠の仕口部に隙間が発生することを防止できる改装サッシ１を容易に構築できる。
【００４７】
以上の実施形態では、連結金具５００、６００は、いずれも既設枠の内周面１１０ａ、２１０ａ、３１０ａ、４１０ａにねじ止めされるようにしたが、既設枠の外周面１１０ｂ、２１０ｂ、３１０ｂ、４１０ｂにねじ止めされるようにしてもよい。
【符号の説明】
【００４８】
１  改装サッシ
２  開口部
１１０  既設上枠（既設枠）
２１０  既設下枠（既設枠）
３１０、４１０  既設縦枠（既設枠）
５００、６００  連結金具
６０１  当接部
６０２  包持部
１１０ａ、２１０ａ、３１０ａ、４１０ａ  既設枠の内周面
【図１】
2019157375.tif 000003
【図２】
2019157375.tif 000004
【図３】
2019157375.tif 000005
【図４】
2019157375.tif 000006
【図５】
2019157375.tif 000007
【図６】
2019157375.tif 000008
【図７】
2019157375.tif 000009
【図８】
2019157375.tif 000010
【図９】
2019157375.tif 000011
【図１０】
2019157375.tif 000012
【図１１】
2019157375.tif 000013
【図１２】
2019157375.tif 000014
【図１３】
2019157375.tif 000015
【図１４】
2019157375.tif 000016